(57)【要約】【課題】簡易な構成で、着用者の呼気がマスクを透過して眼鏡のレンズに到達することを防止するマスクを提供する。【解決手段】少なくとも、着用者の口を覆う本体部と、該本体部に接続された耳掛け部と、前記着用者の鼻部の形状に沿って当接する保形部と、前記本体部に、前記着用者の呼気を遮蔽する遮蔽部と、を備える。【選択図】図１
2019143289.tif 000002
【特許請求の範囲】
【請求項１】
少なくとも、着用者の口を覆う本体部と、
該本体部に接続された耳掛け部と、
前記着用者の鼻部の形状に沿って当接する保形部と、
前記本体部に、前記着用者の呼気を遮蔽する遮蔽部と、
を備えたことを特徴とするマスク。
【請求項２】
前記本体部が少なくとも外層、内層、口元層で構成され、
前記遮蔽部が前記外層と前記内層の間に設けられることを特徴とする請求項１に記載のマスク。
【請求項３】
前記遮蔽部が、前記内層の上端縁部から下端へむけて、内層面の表面積の２０％から５０％を覆うように設けられていることを特徴とする請求項２に記載のマスク。
【請求項４】
前記遮蔽部が、撓み性を有する素材から構成されることを特徴とする請求項１から請求項３のいずれか１項に記載のマスク。
【請求項５】
前記遮蔽部が、矩形をなし、前記内層面の着用側ではない外側面の上端縁部、第１側端縁部、第２側端縁部に固着されていることを特徴とする請求項２から４のいずれか１項に記載のマスク。
【請求項６】
前記遮蔽部は、前記本体部の層構造をなす部材とともに、固着されることを特徴とする請求項４に記載のマスク。
【請求項７】
前記本体部の口元層の素材がガーゼであることを特徴とする請求項１から５のいずれか１項に記載のマスク。
【請求項８】
前記外層が襞状に折り畳まれプリーツから形成され、前記遮蔽部が、前記上端縁部の最近傍のプリーツに挟み込まれて固着されている請求項２から６のいずれか１項に記載のマスク。
【発明の詳細な説明】
【技術分野】
【０００１】
本発明は、マスクに関する。
【背景技術】
【０００２】
従来より、医療用や衛生用に顔面に当てるマスクが、広く使用されている。一般に、マスクは、不織布やガーゼ等からなるマスク本体の両端に取り付けられた掛け紐を両耳に掛けることにより使用されている。しかしながら、顔面は凹凸に富むため、鼻から頬にかけての部分では、マスク本体が鼻から頬にかけて密着することは困難である。そのため、空隙が生じ、その空隙を通して、着用者の呼気が眼鏡に到達することにより、眼鏡のレンズが曇るといった問題があった。
【０００３】
こうした問題に対して、マスク着用時に顔面に当接するノーズクリップやノーズフィッターが設けられたマスクが知られている（例えば、特許文献１参照）。
【先行技術文献】
【特許文献】
【０００４】
【特許文献１】特開２０１１−３０６８０号公報
【発明の概要】
【発明が解決しようとする課題】
【０００５】
しかしながら、特許文献１等に記載のノーズクリップやノーズフィッターは、マスクと着用者の顔との密着度を高めることができるものの、着用者の呼気がマスクを透過して眼鏡レンズに到達することは防止できないという問題があった。
【０００６】
そこで、本発明は、上述の課題に鑑みてなされたものであって、簡易な構成で、着用者の呼気がマスクを透過して眼鏡のレンズに到達することを防止するマスクを提供することを目的とする。
【課題を解決するための手段】
【０００７】
形態１：本発明の１又はそれ以上の実施形態は、少なくとも、着用者の口を覆う本体部と、該本体部に接続された耳掛け部と、前記着用者の鼻部の形状に沿って当接する保形部と、前記本体部に、前記着用者の呼気を遮蔽する遮蔽部と、を備えたことを特徴とするマスクを提案している。
【０００８】
形態２：本発明の１又はそれ以上の実施形態は、前記本体部が少なくとも外層、内層、口元層で構成され、前記遮蔽部が前記外層と前記内層の間に設けられることを特徴とするマスクを提案している。
【０００９】
形態３：本発明の１又はそれ以上の実施形態は、前記遮蔽部が、前記内層の上端縁部から下端へむけて、内層面の表面積の２０％から５０％を覆うように設けられていることを特徴とするマスクを提案している。
【００１０】
形態４：本発明の１又はそれ以上の実施形態は、前記遮蔽部が、通気性がなく撓み性を有する素材から構成されることを特徴とするマスクを提案している。
【００１１】
形態５：本発明の１又はそれ以上の実施形態は、前記遮蔽部が、矩形をなし、前記内層面の着用側ではない外側面の上端縁部、第１側端縁部、第２側端縁部に固着されていることを特徴とするマスクを提案している。
【００１２】
形態６：本発明の１又はそれ以上の実施形態は、前記遮蔽部は、前記本体部の層構造をなす部材とともに、固着されることを特徴とするマスクを提案している。
【００１３】
形態７：本発明の１又はそれ以上の実施形態は、前記本体部の口元層の素材がガーゼであることを特徴とするマスクを提案している。
【００１４】
形態８：本発明の１又はそれ以上の実施形態は、前記外層が襞状に折り畳まれプリーツから形成され、前記遮蔽部が、前記上端縁部の最近傍のプリーツに挟み込まれて固着されているマスクを提案している。
【発明の効果】
【００１５】
本発明の１又はそれ以上の実施形態によれば、簡易な構成で、着用者の呼気がマスクを透過して眼鏡のレンズに到達することを防止することができる。そのため、眼鏡をかけている着用者の眼鏡レンズの曇りを効果的に防止することができる。
【図面の簡単な説明】
【００１６】
【図１】本発明の一実施形態に係るマスク１の概略構成を示す正面図である。
【図２】本発明の一実施形態に係るマスク１の断面を模式的に示す図である。
【図３】本発明の一実施形態に係るマスク１の使用状態を模式的に示す図である。
【図４】本発明の変形例１に係るマスク１の概略構成を示す正面図である。
【図５】本発明の変形例２に係るマスク本体３の概略構成を示す正面図、断面図である。
【発明を実施するための形態】
【００１７】
以下、図面を用いて、本発明の一実施形態に係るマスク１について説明する。
＜実施形態＞
【００１８】
図１に示すように、マスク１は、着用者の口元を少なくとも覆う本体部３を有している。本体部３は、概略矩形状（長方形）となっている。本体部３は、着用者が、マスク１を装着した際に着用者の左側に配置される第１側端縁部３９ａと、第１側端縁部３９ａに対向し、着用者の右側に配置される第２側端縁部３９ｂとを有している。本体部３は、第１側端縁部３９ａと第２側端縁部３９ｂとに略直交する上端縁部３９ｃ及び下端縁部３９ｄを有している。そして、着用者が、マスク１を装着した際に、上端縁部３９ｃは、着用者の鼻側に位置し、下端縁部３９ｄは着用者の顎側に位置する。
【００１９】
本体部３は、例えば、熱可塑性合成樹脂で形成された複数の不織布やガーゼを重ね合わせて形成されている。重ね合わされる複数の不織布やガーゼは、第１側端縁部３９ａ近傍の第１溶着領域３１ａと、第２側端縁部３９ｂ近傍の第２溶着領域３１ｂと、上端縁部３９ｃ近傍の上側溶着領域と、下端縁部３９ｄ近傍の下側溶着領域３１ｄとで互いに溶着されている。
【００２０】
マスク１は、本体部３が、襞状に折り畳まれた襞型（プリーツ型）をなしている。図１及び図２に示すように、本体部３は、第１側端縁部３９ａと第２側端縁部３９ｂとの間に亘って形成された複数の折り目によって段階的に折り畳まれている。本体部３は、中央に設けられた中央襞部３３と、中央襞部３３の折り返し部３３１ａと一部が対向して上端縁部３９ｃ側に設けられた第１上側襞部３５ａと、第１上側襞部３５ａの折り返し部３５１ａと一部が対向して端部が上端縁部３９ｃとなる第２上側襞部３７ａとを有している。また、本体部３は、中央襞部３３の折り返し部３３１ａと一部が対向して下端縁部３９ｄ側に設けられた第１下側襞部３５ｂと、第１下側襞部３５ｂの折り返し部３５１ｂと一部が対向して端部が下端縁部３９ｄとなる第２下側襞部３７ｂとを有している。中央襞部３３、第１上側襞部３５ａ及び第２上側襞部３７ａ並びに第１下側襞部３５ｂ及び第２下側襞部３７ｂを用いて展開される本体部３の状態については後述する。
【００２１】
マスク１は、第１側端縁部３９ａの中央部及び第２側端縁部３９ｂの中央部のそれぞれに形成された切れ込み部７ａ、７ｂを有している。切れ込み部７ａは、第１側端縁部３９ａが中央襞部３３に湾曲したＶ字形状に食い込んで形成されている。切れ込み部７ｂは、第２側端縁部３９ｂが中央襞部３３に湾曲したＶ字形状に食い込んで形成されている。切れ込み部７ａ、７ｂは、本体部３を展開したときに、第１側端縁部３９ａ及び第２側端縁部３９ｂに曲げ応力がかかって、本体部３と着用者の顔面との間に隙間が形成されるのを防止する。すなわち、切れ込み部７ａ、７ｂは、この応力を逃がす応力逃げ部として機能するようになっている。
【００２２】
マスク１は、上端縁部３９ｃ側に設けられ、上端縁部３９ｃの一部を所定の形状で保持する保形部としての保形部材９を有している。保形部材９は、上側溶着領域３１ｃに配置されている。保形部材９は、上側溶着領域３１ｃにおいて、複数の不織布を溶着する部位の間に挟まれて配置されている。これにより、保形部材９は、保形部材９の表面側及び裏面側に設けられた不織布によって挟まれるため、所定位置からほとんどずれずに上側溶着領域３１ｃに配置される。なお、図２に示すように、本実施形態では、保形部材９は、本体部３の上端側を折り曲げて形成された空間部に配置されている。
【００２３】
保形部材９は、図１に示すように、薄板長方形状を有している。保形部材９は、可撓性の熱可塑性樹脂（例えばプラスチック）などで形成されている。保形部材９は、着用者が容易に曲げることができるようになっている。また、保形部材９は、一旦所定形状に変形すると、再び外力がかからない限りその所定形状を保持するようになっている。このため、着用者がマスク１を着用した後に、保形部材９を鼻の形状に合わせて変形させると、保形部材９は、本体部３の上端縁部３９ｃ及び上側溶着領域３１ｃの一部を着用者の鼻の形状に合った状態で保持できる。これにより、保形部材９は、上端縁部３９ｃ及び上側溶着領域３１ｃと着用者の顔面との間に隙間が生じるのを防止できる。
【００２４】
マスク１は、本体部３の第１側端縁部３９ａに環状に接続された第１耳掛け部５ａと、第２側端縁部３９ｂに環状に接続された第１耳掛け部５ｂを有している。第１耳掛け部５ａの一端は、第１側端縁部３９ａ及び上端縁部３９ｃが交わる位置であって、本体部３の左上角部に接続されている。第１耳掛け部５ａの他端は、第１側端縁部３９ａ及び下端縁部３９ｄが交わる位置であって、本体部３の左下角部に接続されている。第１耳掛け部５ｂの一端は、第１側端縁部３９ａ及び上端縁部３９ｃが交わる位置であって、本体部３の右上角部に接続されている。第１耳掛け部５ｂの他端は、第１側端縁部３９ａ及び下端縁部３９ｄが交わる位置であって、本体部３の右下角部に接続されている。第１耳掛け部５ａの一端及び他端は、本体部３の裏面（着用者側の面）に溶着され、第１耳掛け部５ｂの一端及び他端は、本体部３の裏面に溶着されている。
【００２５】
第１耳掛け部５ａ及び第１耳掛け部５ｂは、それぞれ、糸状部材を編組して伸縮性を有する紐状に形成されている。第１耳掛け部５ａ及び第１耳掛け部５ｂは、それぞれ、糸状部材を編組して形成されたメッシュ構造の側壁を備えた筒形状を有している。第１耳掛け部５ａ及び第１耳掛け部５ｂは、それぞれ、例えば、リリアン編み又は筒編みにより形成さている。
【００２６】
（遮蔽部１１について）
遮蔽部１１は、着用者の呼気を遮蔽する部材である。遮蔽部１１は、通気性がない又は極めて低い、撓み性を有する素材から構成されている。遮蔽部１１の素材としては、例えば、ポリプロピレンフィルムやポリエチレンフィルム等を例示することができる。
【００２７】
遮蔽部１１は、図１に示すように、本体部３の着用面の裏面（図１の外層面）の上端縁部３９ｃから下端縁部３９ｄにかけて、本体部３の表面積の２０％から５０％を覆うように設けられている。遮蔽部１１は、概略矩形状（長方形）をなし、本体部３の着用面の裏面の上端縁部３９ｃ、第１側端縁部３９ａ、第２側端縁部３９ｂに固着されている。つまり、下端縁部３９ｄのみが固着されず、図２に示すように、開口となっており、全体として袋状に形成される。なお、遮蔽部１１の側端縁部は、本体部３の着用面の裏面の第１側端縁部３９ａ、第２側端縁部３９ｂに対して、すべて固着されてなくともよい。
【００２８】
遮蔽部１１の固着方法としては、遮蔽部１１は、本体部の層構造をなす部材（例えば、口元層、内層、外層等）とともに、例えば、溶着等によって、固着されてもよい。また、遮蔽部１１は、襞状に折り畳まれたプリーツが形成され本体部３の上端縁部３９ｃの最近傍のプリーツに挟み込まれて固着されていてもよい。このとき、着用面（口元層）の素材は、ガーゼであってもよい。
【００２９】
（作用及び効果）
遮蔽部１１は、通気性がなく、撓み性を有する素材から構成されている。また、本体部３の着用面の裏面（図１の外層面）の上端縁部３９ｃから下端縁部３９ｄにかけて、本体部３の表面積の２０％から５０％を覆うように設けられている。そのため、着用者の口や鼻孔からの温度の高い呼気がマスクの本体部３を透過して、着用者の眼鏡レンズに到達することを防止することができる。したがって、眼鏡をかけている着用者の眼鏡レンズの曇りを効果的に防止することができる。
【００３０】
遮蔽部１１は、通気性がなく、撓み性を有する素材から構成されている。また、遮蔽部１１は、概略矩形状（長方形）をなし、本体部３の着用面の裏面の上端縁部３９ｃ、第１側端縁部３９ａ、第２側端縁部３９ｂに固着されている。つまり、下端縁部３９ｄのみが固着されず、開口となっている。つまり、図３に示すように、着用者がマスク１を着用する場合には、遮蔽部１１が上端縁部３９ｃから下端縁部３９ｄにかけて、斜め下方向に張り出す形態となる。そのため、着用者の口元あるいは、鼻孔からの温度の高い呼気に対して、庇の役目を果たし、着用者の口や鼻孔からの温度の高い呼気がマスクの本体部３を透過して、着用者の眼鏡レンズに到達することは防止することができる。したがって、眼鏡をかけている着用者の眼鏡レンズの曇りを効果的に防止することができる。
【００３１】
また、遮蔽部１１は、襞状に折り畳まれたプリーツが形成され本体部３の上端縁部３９ｃの最近傍のプリーツに挟み込まれて固着されている場合においても、着用者がマスク１を着用する場合には、遮蔽部１１がプリーツにそって撓むため、斜め下方向に張り出す形態となる。そのため、着用者の口元あるいは、鼻孔からの温度の高い呼気に対して、庇の役目を果たし、着用者の口や鼻孔からの温度の高い呼気がマスクの本体部３を透過して、着用者の眼鏡レンズに到達することは防止することができる。したがって、眼鏡をかけている着用者の眼鏡レンズの曇りを効果的に防止することができる。
【００３２】
遮蔽部１１は、本体部３の層構造をなす部材とともに、固着されて製造される。そのため、複雑な製造工程を要することなく、容易に製造することができる。
【００３３】
また、層構造をなす本体部の着用面（口元層）の素材がガーゼである場合には、装着感を向上させるとともに、眼鏡をかけている着用者の眼鏡レンズの曇りを効果的に防止することができる。
【００３４】
なお、本実施形態においては、遮蔽部１１の撓み性の程度には、特に、言及しなかったが、着用者がマスク１を着用した状態で、遮蔽部１１が上端縁部３９ｃから下端縁部３９ｄにかけて、斜め下方向に張り出す形態となる程度の撓み性が好ましい。
【００３５】
また、本実施形態においては、本体部３の第１側端縁部３９ａ、第２側端縁部３９ｂに対する遮蔽部１１の固着範囲を特に明示しなかったが、着用者がマスク１を着用した状態で、遮蔽部１１が上端縁部３９ｃから下端縁部３９ｄにかけて、斜め下方向に張り出す形態となる程度に遮蔽部１１の固着範囲を設定することが好ましい。
【００３６】
また、本実施形態では、保形部材９を例示したが、これに代えて、ノーズフィッターを用いてもよい。
【００３７】
＜変形例＞
本変形例に係る遮蔽部１１ａは、実施形態の遮蔽部１１に対して、図４に示すように、第１側端縁部３９ａの端点から第２側端縁部３９ｂの端点にかけて、遮蔽部１１の下端縁部３９ｄの中心部を最下点とする略円弧状をなす形状となっている。
【００３８】
つまり、着用者がマスク１を着用する場合には、遮蔽部１１が上端縁部３９ｃから下端縁部３９ｄにかけて、斜め下方向に張り出す形態となる。また、図４に示す形状から、遮蔽部１１の下端縁部３９ｄの中心部を除いて、第１側端縁部３９ａ方向および第２側端縁部３９ｂ方向には、遮蔽部１１により遮られる面積が少なくなっている。そのため、着用者の口元あるいは、鼻孔からの温度の高い呼気に対して、遮蔽部１１の下端縁部３９ｄの中心部を頂点とする庇の役目を果たし、着用者の口や鼻孔からの温度の高い呼気がマスクの本体部３を透過して、着用者の眼鏡レンズに到達することは防止することができる。したがって、眼鏡をかけている着用者の眼鏡レンズの曇りを効果的に防止することができる。また、遮蔽部１１の下端縁部３９ｄの中心部を除いて、第１側端縁部３９ａ方向および第２側端縁部３９ｂ方向には、遮蔽部１１により遮られる面積が少なくなっているため、着用者に着用時の息苦しさを感じさせることも抑制することができる。
【００３９】
なお、図４では、遮蔽部１１の形状を実施形態の遮蔽部１１に対して、第１側端縁部３９ａの端点から第２側端縁部３９ｂの端点にかけて、遮蔽部１１の下端縁部３９ｄの中心部を最下点とする略円弧状をなす形状、すなわち、遮蔽部１１の下端縁部３９ｄの中心部の点から遮蔽部１１の第１側端縁部３９ａの端点あるいは第２側端縁部３９ｂの端点を凹状の曲線で結ぶ形状とすることを例示したが、これに限らず、遮蔽部１１の下端縁部３９ｄの中心部の点から遮蔽部１１の第１側端縁部３９ａの端点あるいは第２側端縁部３９ｂの端点を凸状の曲線で結ぶ形状としてもよい。また、遮蔽部１１の下端縁部３９ｄの中心部の点から遮蔽部１１の第１側端縁部３９ａの端点あるいは第２側端縁部３９ｂの端点を凸状の曲線で結ぶ形状としてもよい。
【００４０】
＜変形例２＞
（マスク本体部の構成と遮蔽部）
マスク本体部３の構成を図５に基づき説明する。
マスク本体部３は不織布を素材とする多層構造となっており、着用時に外気と触れる側に外層３１、着用者鼻口部と接触する側（内側）に内層３２、外層３１と内層３２との間に遮蔽部１１、着用者の口部に接する口元層３４を備える（図５）。
内層３２は、フィルター層３２１と吸湿層３２２とからなる構成でもよい。
また、遮蔽部１１は、内層３２と口元層３４との間に位置してもよい。
【００４１】
遮蔽部１１は、内層３２の内層面（口元側でなく外側）の上端縁部から下端縁部にかけて、内層面の表面積の２０％から５０％を覆うように設けられる。
例えば、遮蔽部１１は、内層面外側の上端縁部から上下方向の中央付近まで、内層面の上部の略半分の領域を覆うように設けられる。
【００４２】
外層３１を構成する不織布は汎用の比較的目の粗い不織布で構成されるが、内層３２（フィルター層３２１）を構成する不織布は目の細かい不織布、すなわち極細繊維不織布であることが好ましく、例えばメルトブロー不織布が挙げられる。
【００４３】
内層３２が吸湿層３２２を備える場合、内層に吸湿性能を付与する。
吸湿層３２２のこの吸湿作用により、呼気中の水分が吸収され、マスク本体２と着用者の鼻口部とで囲まれる空間の湿度が低下するため、着用時のムレ感が解消または緩和される。
【００４４】
フィルター層３２１と吸湿層３２２との各々の性能を考慮し、外側より内側へ、フィルター層３２１、次いで吸湿層３２２の順で配置される。
フィルター層３２１が二層以上の場合、例えば二層の場合には、吸湿層３２２を二つのフィルター層３２１ａと３２１ｂとに挟まれる状態で配置することもできる。
【００４５】
内層３２を含めた本体マスク部３の層構成としては、多岐のバリエーションが可能である。
内層３２は、マスク本体部３の外側から内側へ順に、フィルター層３２１と吸湿層３２２とが積層されている構成を「（フィルター／吸湿）」と略記する表示方法とすると、マスク本体部３の多層構造として、例えば、外層／内層（フィルター／吸湿）／口元層［四層構造］、外層／内層（フィルター／フィルター／吸湿）／口元層［五層構造］、外層／内層（フィルター／吸湿／フィルター）／口元層［五層構造］、外層／内層（フィルター／フィルター／フィルター／吸湿）／口元層［六層構造］のような構成を採ることが出来る。そして、遮蔽部１１は、これらの層構成において、外層３１と内層３２（内層の外側）との間に設けられることが好ましい。フィルター層３２１を二以上設ける場合、遮蔽部１１を、より外側に位置するフィルター層の内側に隣接して設けてもよい。あるいは、フィルター層３２１を二以上設ける場合、遮蔽部１１を二つ用いて、外層３１と内層３２の間の位置に加え、最も内側にあるフィルター層の外側に隣接する位置、これら二カ所に遮蔽部１１を設けてもよい。
【００４６】
また、マスク本体部３は、本体部３の上部に設けられる保形部材９に加えて、さらに、中央襞部３３の上下方向中央に左右方向に延びるもう一つの保形部材９を設けることが好ましい。
【００４７】
［実施例］
外層、遮蔽部、内層、及び口元層として、下記の不織布を上記の順に積層し、本体マスク部を作成した。
・外層３１：目付け３０ｇ／ｍ２、ポリプロピレン製不織布
・遮蔽部１１：ポリエチレンフィルム
・内層３２：目付け２０ｇ／ｍ２、ポリプロピレン製メルトブロー不織布２０ｇ／ｍ２
・口元層３４：目付け２０ｇ／ｍ２、ポリプロピレン製不織布
上記のマスク本体部を試験片として、眼鏡の曇り防止の性能を評価確認した。
評価試験はＪＩＳＰ８１１７（王研式試験機法、ＪＡＰＡＮ  ＴＡＰＰＩ  Ｎｏ．５、試験室温湿度：２０℃、６５％ＲＨ）にもとづいて実施した。
試験評価は、マスク本体の上半分の領域に対応する内層外側に隣接する位置に遮蔽部１１を設け、上半分（４層の構成）の領域と、下半分（３層の構成）の領域について、透気抵抗の度合いを測定した。
評価の結果を表１に示す。
表１に示されるとおり、下半分の３層の領域に比べ、上半分の４層の領域は透気抵抗度が著しく高く、呼気通過がし難いことが示されている。
【００４８】
【表１】
2019143289.tif 000003
【００４９】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００５０】
１；マスク
３；本体部
５ａ；第１耳掛け部
５ｂ；第２耳掛け部
９；保形部
１１;遮蔽部
３９ａ；第１側端縁部
３９ｂ；第２側端縁部
３９ｃ；上端縁部
３９ｄ；下端縁部
【図１】
2019143289.tif 000004
【図２】
2019143289.tif 000005
【図３】
2019143289.tif 000006
【図４】
2019143289.tif 000007
【図５】
2019143289.tif 000008